(57)【要約】  本発明に係るエンジンの異常燃焼検出装置（５０）は、燃焼室（２）内に供給された空気と燃料との混合気を燃焼させてエンジン動力を生起するエンジン（１）において、燃焼室の燃焼状態と相関性のある物理量を検出する加速度検出器（１２）と、加速度検出器（１２）において検出された物理量に基づき、各燃焼サイクルのノック強度を算出するノック強度算出部（５２）と、ノック強度算出部（５２）において算出されたノック強度が所定の閾値以上となる頻度およびノック強度が複数回の燃焼サイクルに亘って連続的に所定の閾値以上となる該連続性の少なくとも一方に基づき、燃焼室（２）内で正常な着火のもとで発生する通常のノッキング以外の他の異常燃焼を検出する異常燃焼判定部（５４）と、を備えて構成される。
2015033371.tif 000002
【特許請求の範囲】
【請求項１】
燃焼室内に供給された空気と燃料との混合気を燃焼させてエンジン動力を生起するエンジンにおいて、
前記燃焼室の燃焼状態と相関性のある物理量を検出する物理量検出手段と、
前記物理量検出手段において検出された物理量に基づき、各燃焼サイクルのノック強度を算出するノック強度算出手段と、
前記ノック強度算出手段において算出されたノック強度が所定の閾値以上となる頻度およびノック強度が複数回の燃焼サイクルに亘って連続的に前記所定の閾値以上となる該連続性の少なくとも一方に基づき、前記燃焼室内で正常な着火のもとで発生する通常のノッキング以外の他の異常燃焼を検出する異常燃焼判定手段と、を備えて構成されることを特徴とするエンジンの異常燃焼検出装置。
【請求項２】
前記異常燃焼判定手段は、ノック強度が複数回の燃焼サイクルにおいて一定以上変動した場合、前記燃焼室内に発生する前記異常燃焼を検出することを特徴とする請求項１に記載のエンジンの異常燃焼検出装置。
【請求項３】
前記物理量検出手段は、前記燃焼室内の燃焼圧を検出する燃焼圧検出手段を有し、
前記異常燃焼判定手段は、前記燃焼圧検出手段において検出された最高燃焼圧に基づき、前記燃焼室内に発生する前記異常燃焼を検出することを特徴とする請求項１又は２に記載のエンジンの異常燃焼検出装置。
【請求項４】
燃焼室内に供給された空気と燃料との混合気を燃焼させてエンジン動力を生起するエンジンにおいて、
前記燃焼室の燃焼状態と相関性のある物理量を検出する物理量検出ステップと、
前記物理量検出ステップにおいて検出された物理量に基づき、各燃焼サイクルのノック強度を算出するノック強度算出ステップと、
前記ノック強度算出ステップにおいて算出されたノック強度が所定の閾値以上となる頻度およびノック強度が複数回の燃焼サイクルに亘って連続的に前記所定の閾値以上となる該連続性の少なくとも一方に基づき、前記燃焼室内で正常な着火のもとで発生する通常のノッキング以外の他の異常燃焼を検出する異常燃焼判定ステップと、を備えて構成されることを特徴とするエンジンの異常燃焼検出方法。
【請求項５】
ノック強度が複数回の燃焼サイクルにおいて一定以上変動した場合、前記燃焼室内に発生する前記異常燃焼を検出することを特徴とする請求項４に記載のエンジンの異常燃焼検出方法。
【請求項６】
前記燃焼室内の燃焼圧を検出する燃焼圧検出ステップを有し、
前記燃焼圧検出ステップにおいて検出された最高燃焼圧に基づき、前記燃焼室内に発生する前記異常燃焼を検出することを特徴とする請求項４又は５に記載のエンジンの異常燃焼検出装置。
【発明の詳細な説明】
【技術分野】
【０００１】
本発明は、エンジンの燃焼室に発生する異常燃焼を検出するエンジンの異常燃焼検出装置および異常燃焼検出方法に関する。
【背景技術】
【０００２】
エンジン（内燃機関）においては出力変動や燃焼騒音などの原因である異常燃焼が発生することがあるが、従来からエンジンにおける異常燃焼の代表的な一形態であるノッキングを検出する技術が知られている。この従来技術では、ノッキングセンサとして加速度センサを用いて、エンジンに固有な異常燃焼時の振動周波数を検出し、その強度が一定の閾値以上高ければ、ノッキングが発生したとみなして、点火時期を遅角する等の回避制御を施している（例えば、特許文献１を参照）。
【先行技術文献】
【特許文献】
【０００３】
【特許文献１】特開２００４−３４６８７６号公報
【発明の概要】
【発明が解決しようとする課題】
【０００４】
ところが、近年では、燃焼室内に存在する潤滑油（例えばオイル上がりした潤滑油）が自己着火することに起因する異常燃焼が問題となっている。この潤滑油に起因する異常燃焼が発生すると、燃焼室内の燃焼圧が急激に増大することで、基本的にノッキングを併発することになるのだが、両者は本質的には互いに異なる対策を必要とする、全く別の異常現象である。ところが、従来の技術では、正常な着火のもとで発生する通常のノッキングと潤滑油に起因する異常燃焼とを明確に判別することが難しく、潤滑油に起因する異常燃焼が発生した場合に、誤った回避制御を施した結果、事態を悪化させるという問題がある。すなわち、潤滑油に起因する異常燃焼が発生した場合に、ノッキングの回避制御と同様に、点火時期を遅角する制御を実施すると、燃焼室内の温度が一層上昇して潤滑油がさらに多点着火することで、事態を更に悪化させることになる。【０００５】
本発明は、このような課題に鑑みてなされたものであり、正常な着火のもとで発生する通常のノッキングと、当該ノッキング以外の他の異常燃焼とを正確に判別可能な構成のエンジンの異常燃焼検出装置および異常燃焼検出方法を提供することを目的とする。
【課題を解決するための手段】
【０００６】
前記課題を解決するために、本発明に係るエンジンの異常燃焼検出装置は、燃焼室内に供給された空気と燃料との混合気を燃焼させてエンジン動力を生起するエンジンにおいて、燃焼室の燃焼状態と相関性のある物理量を検出する物理量検出手段（例えば、実施形態における加速度検出器１２）と、物理量検出手段において検出された物理量に基づき、各燃焼サイクルのノック強度を算出するノック強度算出手段（例えば、実施形態におけるノック強度算出部５２）と、ノック強度算出手段において算出されたノック強度が所定の閾値以上となる頻度およびノック強度が複数回の燃焼サイクルに亘って連続的に所定の閾値以上となる該連続性の少なくとも一方に基づき、正常な着火のもとで発生する通常のノッキング以外の他の異常燃焼を検出する異常燃焼判定手段（例えば、実施形態における異常燃焼判定部５４）と、を備えて構成される。【０００７】
また、本発明に係るエンジンの異常燃焼検出方法は、燃焼室内に供給された空気と燃料との混合気を燃焼させてエンジン動力を生起するエンジンにおいて、燃焼室の燃焼状態と相関性のある物理量を検出する物理量検出ステップと、物理量検出ステップにおいて検出された物理量に基づき、各燃焼サイクルのノック強度を算出するノック強度算出ステップと、ノック強度算出ステップにおいて算出されたノック強度が所定の閾値以上となる頻度およびノック強度が複数回の燃焼サイクルに亘って連続的に所定の閾値以上となる該連続性の少なくとも一方に基づき、正常な着火のもとで発生する通常のノッキング以外の他の異常燃焼を検出する異常燃焼判定ステップと、を備えて構成される。
【発明の効果】
【０００８】
本発明に係るエンジンの異常燃焼検出装置によれば、ノック強度が所定の閾値以上となる頻度およびノック強度が複数回の燃焼サイクルに亘って連続的に前記所定の閾値以上となる該連続性の少なくとも一方に基づいて、エンジンの燃焼室内に発生するノッキングと当該ノッキング以外の他の異常燃焼（例えば、潤滑油に起因する異常燃焼、熱面着火に起因する異常燃焼など）とを正確に判別することができるため、異常燃焼の種別に応じた正しい回避制御を実行して、エンジンを適正な燃焼状態に早期に復帰させることが可能である。また、一般的にエンジンにはノックセンサ（物理量検出手段）が搭載されているため、正常な着火のもとで発生する通常のノッキング以外の他の異常燃焼を検出するための指標としてノック強度を利用することで、当該異常燃焼検出装置を低コストで実現することができる。【０００９】
また、上述の発明に係るエンジンの異常燃焼検出装置において、ノック強度が複数回の燃焼サイクルにおいて一定以上変動した場合、正常な着火のもとで発生する通常のノッキング以外の他の異常燃焼を検出し得るよう構成することで、頻度および連続性との組合せ条件に基づき、各種の異常燃焼の検出精度をより一層向上させることが可能となる。【００１０】
さらに、上述の発明に係るエンジンの異常燃焼検出装置において、燃焼室内の最高燃焼圧が一定以上上昇したとき又は複数回の燃焼サイクルにおいて最高燃焼圧が一定以上変動したときに、正常な着火のもとで発生する通常のノッキング以外の他の異常燃焼を検出し得るよう構成することで、燃焼室内での多点着火等に基づき燃焼圧の急激な増大を誘発するような異常燃焼を確実に検出することが可能となる。【００１１】
本発明に係るエンジンの異常燃焼検出方法によれば、ノック強度が所定の閾値以上となる頻度およびノック強度が複数回の燃焼サイクルに亘って連続的に前記所定の閾値以上となる該連続性の少なくとも一方に基づいて、正常な着火のもとで発生する通常のノッキングと当該ノッキング以外の他の異常燃焼（例えば、潤滑油に起因する異常燃焼、熱面着火に起因する異常燃焼など）とを正確に判別することができるため、異常燃焼の種別に応じた正しい回避制御を実行して、エンジンを適正な燃焼状態に早期に復帰させることが可能である。【００１２】
また、上述の発明に係るエンジンの異常燃焼検出方法において、ノック強度が複数回の燃焼サイクルにおいて一定以上変動した場合、正常な着火のもとで発生する通常のノッキング以外の他の異常燃焼を検出し得るよう構成することで、頻度および連続性との組合せ条件に基づき、各種の異常燃焼の検出精度をより一層向上させることが可能となる。【００１３】
さらに、上述の発明に係るエンジンの異常燃焼検出方法において、燃焼室内の最高燃焼圧が一定以上上昇したとき又は複数回の燃焼サイクルにおいて最高燃焼圧が一定以上変動したときに、正常な着火のもとで発生する通常のノッキング以外の他の異常燃焼を検出し得るよう構成することで、燃焼室内での多点着火等に基づき燃焼圧の急激な増大を誘発するような異常燃焼を確実に検出することが可能となる。
【図面の簡単な説明】
【００１４】
【図１】本発明の一実施形態に係るエンジンを示す模式図である。
【図２】本実施形態で対象とする各種の異常燃焼の特性の一例を比較する表である。
【図３】上記各種の異常燃焼におけるノック強度の現れ方の一例を示すグラフである。
【図４】潤滑油に起因する異常燃焼が発生したときの燃焼圧とクランク角度との関係の一例を示すグラフである。
【図５】第１実施形態の異常燃焼検出装置の機能ブロック図である。
【図６】ノッキング強度の算出の仕方の一例を説明するための模式図である。
【図７】第１実施形態における異常燃焼検出方法の一例を示すフローチャートである。
【図８】第２実施形態の異常燃焼検出装置の機能ブロック図である。
【図９】第２実施形態における異常燃焼検出方法の一例を示すフローチャートである。
【発明を実施するための形態】
【００１５】
以下、図面を参照して本発明の好ましい実施形態について説明する。本発明の一実施形態に係るエンジンの異常燃焼検出装置を図１に示している。まず始めに、図１を参照しながら、エンジンの基本構成について説明する。なお、本実施形態では、エンジン（内燃機関）の一例として予混合燃焼式のガソリンエンジンを例示するが、例えばガスエンジン等の他の形式のエンジンに適用することも可能である。
【００１６】
[エンジンの基本構成]
エンジン１は、シリンダ空間１１を有するシリンダブロック１０と、シリンダブロック１０の上面を覆って設けられたシリンダヘッド２０と、シリンダ空間内１１に往復動自在に設けられたピストン３０と、コネクティングロッド３５を介してピストン３０に連結されてピストン３０の往復動を受けて回転駆動されるクランク軸４０と、を主体として構成されている。このエンジン１には、シリンダ空間１１の内周面と、シリンダヘッド２０と、ピストン３０とに囲まれて燃焼室２（「筒内」とも称する）が画成されている。
【００１７】
シリンダヘッド２０には、燃焼室２に繋がる吸気通路２１および排気通路２３が設けられており、燃焼室２と吸気通路２１との連通部分である吸気口には、この吸気口を開閉する吸気弁２２が設けられ、燃焼室２と排気通路２３との連通部分である排気口には、この排気口を開閉する排気弁２４が設けられている。これら吸気弁２２および排気弁２４は、クランク軸４０と連動して回転駆動されるカム機構（図示せず）によって所定のタイミングで開閉作動される。
【００１８】
例えば、吸気通路２１の途中又はその手前には、空燃比制御装置２５(図５を参照)および燃料供給装置２６などが設けられており、この吸気通路２１を介して圧縮空気と燃料との混合気（予混合気）が燃焼室２内に導入されるようになっている。なお、混合気の供給方式や燃料の噴射方式には様々なタイプがあるが、いずれの方式を採用してもよい。
【００１９】
シリンダヘッド２０には、燃焼室２の天井部に先端部（電極部）を臨ませて点火装置２７が設けられており、この点火装置２７の作動によって、燃焼室２内に導入された混合気の点火が行われるようになっている。なお、空燃比制御装置２５、燃料供給装置２６、点火装置２７等の作動は、電子制御ユニットＥＣＵによって制御される。また、シリンダヘッド２０には、燃焼室２内の圧力（「燃焼圧」と称する）を検出するための燃焼圧検出器２８が取り付けられている。
【００２０】
一方、シリンダブロック１０には、このシリンダブロック１０に生じる振動（振動加速度）を検出するための加速度検出器１２が取り付けられている。
【００２１】
なお、本実施形態では、詳細後述するが、加速度検出器１２および燃焼圧検出器２８のうちの一方がいわゆる「ノックセンサ」を構成し、加速度検出器１２を採用する場合には振動値に基づくノック強度を指標として各種の異常燃焼が検出され、燃焼圧検出器２８を採用する場合には燃焼圧に基づくノック強度を指標として各種の異常燃焼が検出される。以下では、加速度検出器１２又は燃焼圧検出器２８をノックセンサ３とも称することがある。
【００２２】
クランク軸４０には、当該クランク軸４０の回転角度を検出するためのクランク角度検出器４１が取り付けられている。
【００２３】
なお、エンジン１には、前述のように、加速度検出器１２および燃焼圧検出器２８の両方が備えられているが、加速度検出器１２および燃焼圧検出器２８のうちのいずれか一方が備えられるものでもよい。
【００２４】
[エンジンの基本動作]
本実施形態で例示する４サイクル型のエンジン１では、ピストン３０が上死点から下降してクランク軸４０が所定の回転方向に回転すると、吸気バルブ２２が開弁して吸気通路２１からの混合気が吸気口を介して燃焼室内２に吸入される（「吸気行程」）。そして、ピストン３０が下死点まで下降すると、吸気バルブ２２がバルブスプリングの弾性力によって閉弁される。
【００２５】
ピストン３０が下死点まで到達すると、クランク軸４０の慣性力がコンロッド３５を介して作用してピストン３０が上昇し、密閉された燃焼室２内で混合気が圧縮される（「圧縮行程」）。
【００２６】
続いて、ピストン３０が上死点の近傍に達すると、点火装置２７の火花点火により圧縮された混合気が燃焼される。そして、燃焼室２内での混合気の燃焼は、点火装置２７により着火された部分の火炎が燃焼室２内で伝播することにより行われる。この燃焼エネルギーを受けて、ピストン３０は再び下降する（「燃焼・膨張行程」）。
【００２７】
ピストン３０が下死点に達してさらに上昇すると、排気バルブ２４が開弁し、排気口を介して燃焼室２内のガスが排気される（「排気行程」）。そして、ピストン３０が上死点まで上昇すると、バルブスプリングの弾性力によって排気バルブ２４が閉弁する一方、再び吸気バルブ２２が開弁する。この一連の「吸気行程」、「圧縮行程」、「燃焼・膨張行程」、「排気行程」が、ピストン３０が上下に２往復動する毎に繰り返して行われる。
【００２８】
[異常燃焼検出装置]
本実施形態に係る異常燃焼検出装置には、各検出器１２，２８，４１等からの検出情報に基づき、エンジン１に発生する各種の異常燃焼として、正常な着火のもとで発生する通常のノッキングと、それ以外の他の異常燃焼（例えば、潤滑油に起因する異常燃焼、熱面着火に起因する異常燃焼など）とを判別する機能が備えられている。
【００２９】
ここで、図２は本実施形態で対象となる異常燃焼の特性を比較した表、図３は各異常燃焼におけるノッキング強度の時間変化の様子を示すグラフである。なお、詳細後述するが、潤滑油に起因する異常燃焼および熱面着火に起因する異常燃焼は、基本的にはノッキングを併発するという特徴があるため、以降では正常な着火の下で発生するノッキングを「通常のノッキング」とも称することがある。すなわち、「通常のノッキング」とは、点火装置２７による正常な着火の下で発生するものを意味する。これに対して、「通常のノッキング以外の他の異常燃焼」とは、非正常な着火に起因する異常燃焼を意味し、しばしばノッキングも併発する。それでは、図２および図３を参照しながら、通常のノッキング、潤滑油に起因する異常燃焼、熱面着火に起因する異常燃焼、の特性について順番に説明する。
【００３０】
「通常のノッキング」とは、火炎伝播により燃焼圧が上昇する過程で、混合気の未燃焼部分が自己着火を起こすことにより、圧力波が燃焼室２内を往復伝播して共鳴する現象である。図２および図３に示すように、通常のノッキングは、他の二つの異常燃焼と比較して、所定レベルのノック強度が相対的に高い頻度で連続的に発生する傾向にあり、そのサイクル変動は比較的小さいという特性がある。なお、「ノック強度」とは、エンジンに発生するノッキングの強さの度合いを示す指標である。また、燃焼圧から得られる最高燃焼圧Ｐmaxや図示平均有効圧Ｐmiおよびそれらサイクル変動も、他の二つの異常燃焼と比較して、相対的に小さいという特性がある。
【００３１】
「潤滑油に起因する異常燃焼」とは、燃焼室２内に滞留する潤滑油（例えばオイル上がりした潤滑油）が自己着火を起こして燃焼圧を急激に増大させる現象である。なお、潤滑油は燃焼室２内でミスト或いは蒸気の状態で分散しているため、燃焼室２内の多点（多数の位置）でほぼ同時に自己着火を起こす（故に、急激な圧力上昇を起こすことになる）。このように、潤滑油に起因する異常燃焼では、燃焼圧が急激に増大するため、ノッキングを併発するという特徴がある。図２および図３に示すように、潤滑油に起因する異常燃焼では、比較的大きなレベルのノック強度が、相対的に低頻度で単発的・偶発的又は断続的に発生する傾向にある。より詳細には、潤滑油に起因する異常燃焼は、ほとんどの場合に連続して発生せず、その発生頻度も少ない（なかでも発生初期が特に少ない）。そのため、ノック強度のサイクル変動が大きい。また、前述の多点着火によって最高燃焼圧Ｐmaxおよび図示平均有効圧Ｐmiが正常燃焼より高くなり、また、そのサイクル変動も大きくなるという特性がある。
【００３２】
ここで、図４は、正常燃焼および潤滑油に起因する異常燃焼（進角あり、進角なし）におけるクランク角度と燃焼圧との関係を表すグラフである。この図４を参照しても分かるように、潤滑油に起因する異常燃焼では、必ずしも着火時期が進角するわけではなく、進角しなくても多点着火を伴って燃焼最高圧Ｐmaxが高くなるケースが多い。
【００３３】
「熱面着火に起因する異常燃焼」とは、混合気が燃焼室２内の過熱した高温部分に接触することで自己着火を起こして、混合気の着火時期を徐々に早める現象である。そのため、ノッキングを併発する。熱面着火に起因する異常燃焼では、図２および図３に示すように、大きなレベルのノック強度が連続的に発生して短時間で重度に成長していく傾向にある。また、最高燃焼圧Ｐmaxが正常燃焼よりも大幅に高くなるという特性がある。
【００３４】
本実施形態では、上記のような特性の差異に着目して、各種の異常燃焼の検出方法として、(I)ノック強度が閾値以上となる発生頻度、連続性に基づく検出方法、(II)ノック強度のサイクル変動値に基づく検出方法、(III)燃焼最高圧Ｐmax、燃焼最高圧Ｐmaxのサイクル変動値、図示平均有効圧Ｐmiのサイクル変動値、に基づく検出方法、を提案する。
【００３５】
それでは、以下において、異常燃焼検出装置の具体的な構成について説明する。まず、第１実施形態に係る異常燃焼検出装置５０の構成を説明する。図５は、第１実施形態に係る異常燃焼検出装置５０の機能ブロック図である。
【００３６】
異常燃焼検出装置５０は、ＣＰＵ、ＲＯＭ、ＲＡＭ等を搭載したマイクロコンピュータを主体として構成されており、ＣＰＵがＲＯＭに記憶された異常燃焼検出用の制御プログラムに従って、エンジン１に生じる異常燃焼を検出する。異常燃焼検出器５０には、ノックセンサ３（加速度検出器１２等）およびクランク角度検出器２８などが電気的に接続されている。
【００３７】
図５に示すように、異常燃焼検出装置５０は、ノックセンサ３からの検出情報に基づきノック強度およびそのサイクル変動値などを算出するノック強度算出部５２と、筒内の異常燃焼を検出する異常燃焼判定部５４と、を備えている。
【００３８】
一方、電子制御ユニットＥＣＵは、ＣＰＵ、ＲＯＭ、ＲＡＭ等を搭載したマイクロコンピュータを主体として構成されており、各種検出器等からの検出情報に基づき、ＣＰＵがＲＯＭに記憶された燃焼制御プログラムに従ってエンジン制御を実行する。この電子制御ユニットＥＣＵには、空燃比制御装置２５、燃焼供給装置２６および点火装置２７などが電気的に接続されている。ここで、図５に示すように、電子制御ユニットＥＣＵは、空燃比制御装置２５、燃焼供給装置２６および点火装置２７などの作動を制御して、筒内の燃焼を制御する燃焼制御部５１を備えている。
【００３９】
（ノック強度の算出）
ノック強度算出部５２は、ノックセンサ３（加速度検出器１２等）で検出された振動値Ｖと、クランク角度検出器４１で検出されたクランク角度θとに基づき、所定の演算処理を実行することで、ノック強度を算出する。具体的には、図６（ａ）に示すように、振動波形を所定の解析ウィンドウで周波数分析（高速フーリエ変換）を行い、図６（ｂ）に示すパワースペクトルを算出する。解析ウィンドウの設定範囲Δθとしては、上死点（ＴＤＣ）近傍の任意の範囲に設定可能であり、例えば、上死点近傍の４０度の範囲で設定してもよい。
【００４０】
続いて、下記の式（１）で算出されるノッキング固有周波数を中心とした所定の周波数帯域（「ノック周波数帯域」と称する）にバンドパスフィルタをかけ、このノック周波数帯域の振動変動幅ΔＶのオーバーオール値（二乗平均値）を算出し、これをノック強度（Ｋｎｏｃｋ  Ｉｎｔｅｎｓｉｔｙ）と定義する。なお、下記の式（１）において、管内の音速は、管内の温度の関数として算出される。
ノッキング固有周波数  ＝  管内の音速／（２×シリンダ径）…（１）
【００４１】
（ノック強度のサイクル変動値の算出）
ノック強度算出部５２は、ノック強度のサイクル変動値も算出する。ここで、ノック強度のサイクル変動値とは、複数回のサイクルにおけるノック強度の変動の度合いを示す指標であり、例えば、ノック強度の最高値と最小値との差、標準偏差、ＣＯＶ（共分散）などが該当する。なお、本実施形態において、「サイクル」とは、吸気、圧縮、燃焼・膨張、排気の一連の過程を意味する。
【００４２】
（異常燃焼の検出）
異常燃焼判定部５４は、上記の(I)，(II)の検出方法を単独で又は相互に組み合わせて実行することで、ノッキング、潤滑油に起因する異常燃焼、熱面着火に起因する異常燃焼など様々な異常燃焼を検出する。
【００４３】
(I)ノック強度の発生頻度、連続性に基づく検出方法
異常燃焼判定部５４は、異常燃焼を検出するための指標として発生頻度および連続性のうち少なくとも一方を利用する。具体的には、異常燃焼判定部５４は、所定回数のサイクル中において、ノック強度が所定の閾値（「基準閾値」と称する）以上となるサイクル数（発生頻度）を記録して、その発生頻度が第１の閾値以上である場合、すなわち、発生頻度が高い場合には熱面着火に起因する異常燃焼であると判定する。一方、発生頻度が第１の閾値未満且つ第２閾値の以上である場合、すなわち、発生頻度が中程度の場合には、通常のノッキングであると判定する。また、発生頻度が第２の閾値未満である場合、すなわち、発生頻度が低い場合には、潤滑油に起因する異常燃焼であると判定する。なお、第１の閾値は第２の閾値よりも大きな値（第１の閾値＞第２の閾値）とする。これは上述したように、潤滑油に起因する異常燃焼は、通常のノッキングと比較して、その発生頻度が低いという特性、および、熱面着火に起因する異常燃焼は、通常のノッキングと比較して、その発生頻度が高いという特性を利用したものである。なお、基準閾値、第１の閾値および第２の閾値は、エンジン１の作動状態等に応じて任意に可変設定することのできる変数とする。
【００４４】
また、異常燃焼判定部５４は、基準閾値以上となるノック強度が連続して検出されたとき、その連続回数が第３の閾値以上である場合、すなわち、連続性が高い場合には熱面着火に起因する異常燃焼であると判定する。一方、連続回数が第３の閾値未満且つ第４の閾値以上である場合、すなわち、連続性が中程度の場合には、通常のノッキングであると判定する。また、連続回数が第４の閾値未満である場合、すなわち、連続性が低い場合には、潤滑油に起因する異常燃焼であると判定する。なお、第３の閾値は第４の閾値よりも大きな値（第３の閾値＞第４の閾値）とする。これは上述したように、潤滑油に起因する異常燃焼は、ほとんどの場合に連続して発生しないという特性、および、熱面着火に起因する異常燃焼は、ほぼ連続的に発生するという特性を利用したものである。なお、第３の閾値および第４の閾値は、エンジン１の作動状態等に応じて任意に可変設定することのできる変数とする。
【００４５】
(II)ノック強度のサイクル変動に基づく検出方法
異常燃焼判定部５４は、異常燃焼を検出するための指標としてノック強度のサイクル変動値を利用する。具体的には、異常燃焼判定部５４は、ノック強度のサイクル変動値が第５の閾値以上である場合に、潤滑油に起因する異常燃焼が発生したと判定する。これは前述したように、潤滑油に起因する異常燃焼の場合には、燃焼のサイクル間のばらつきが通常のノッキングよりも大きくなるという特性を利用したものである。このとき、この検出方法(II)を単独で使用してもよいが、上記の(I)の検出方法との組合せにより、当該異常燃焼の検出精度を更に向上させることができる。なお、第５の閾値は、エンジン１の作動状態等に応じて任意に可変設定することのできる変数とする。
【００４６】
（回避制御）
異常燃焼判定部５４は、いずれかの異常燃焼を検出した場合、当該異常燃焼に係る検出情報を電子制御ユニットＥＣＵの燃焼制御部５１へ送信する。電子制御ユニットＥＣＵの燃焼制御部５１は、異常燃焼判定部５４からの検出情報に基づき、異常燃焼の種別に応じた回避制御を実行するため、エンジン各部（空燃比制御装置２５、燃料供給装置２６、点火装置２７など）の作動を制御する。
【００４７】
次に、第１実施形態に係る異常燃焼検出装置５０が実行する異常燃焼検出方法の一例について説明する。ここで、図７は、上記異常燃焼検出方法の一例を示すフローチャートである。
【００４８】
まず、ノック強度算出部５２は、ノックセンサ３（加速度検出器１２など）から入力される検出情報に基づきノック強度を算出する（ステップＳ１０１）。
【００４９】
続いて、異常燃焼判定部５４は、ノック強度が基準閾値を超えているか否かを判定する（ステップＳ１０２）。
【００５０】
ノック強度が基準閾値以上である場合（ステップＳ１０２：ＹＥＳ）、異常燃焼判定部５４は、過去Ｎサイクル中における基準閾値以上のノック強度の発生頻度、あるいは、ノック強度が基準閾値以上となる連続回数を算出する（ステップＳ１０３）。なお、ノック強度の発生頻度および連続回数の双方を算出するようにしてもよい。
【００５１】
異常燃焼判定部５４は、上記のステップＳ１０３で得られた、発生頻度又は連続回数を所定の閾値（第１〜第４の閾値）と比較して、通常のノッキング、潤滑油に起因する異常燃焼、熱面着火に起因する異常燃焼、のうちのいずれの異常燃焼が発生したかを判定する（ステップＳ１０４）。
【００５２】
続いて、電子制御ユニットＥＣＵの燃焼制御部５１は、上記のステップＳ１０４で検出された異常燃焼の種別に応じた回避制御を実行する（ステップＳ１０５）。例えば、ノッキングに対する回避制御として、着火時期を遅角する制御など、熱面着火に起因する異常燃焼に対する回避制御として、エンジン１を即停止させる制御など、潤滑油に起因する異常燃焼に対する回避制御として、エンジン１の出力を低下させる制御など、を実行する。
【００５３】
次に、第２実施形態に係る異常燃焼検出装置１５０の構成を説明する。図８は、第２実施形態に係る異常燃焼検出装置１５０の機能ブロック図である。
【００５４】
異常燃焼検出装置１５０は、ＣＰＵ、ＲＯＭ、ＲＡＭ等を搭載したマイクロコンピュータを主体として構成されており、ＣＰＵがＲＯＭに記憶された異常燃焼検出用の制御プログラムに従って、エンジン１に生じる異常燃焼を検出する。異常燃焼検出装置１５０には、ノックセンサ３（燃焼圧検出器２８）およびクランク角度検出器２８などが電気的に接続されている。
【００５５】
図８に示すように、異常燃焼検出装置１５０は、ノックセンサ３（燃焼圧検出器２８）からの検出情報に基づきノック強度およびそのサイクル変動値などを算出するノック強度算出部１５２と、同じくノックセンサ３（燃焼圧検出器２８）からの検出情報に基づき最高燃焼圧Ｐmax、図示平均有効圧Ｐmi、およびそれらのサイクル変動値などを算出する燃焼圧解析部１５３と、ノック強度および燃焼圧に基づき筒内の異常燃焼を検出する異常燃焼判定部１５４と、を備えている。
【００５６】
一方、電子制御ユニットＥＣＵは、ＣＰＵ、ＲＯＭ、ＲＡＭ等を搭載したマイクロコンピュータを主体として構成されており、各種検出器等からの検出情報に基づき、ＣＰＵがＲＯＭに記憶された燃焼制御プログラムに従ってエンジン制御を実行する。この電子制御ユニットＥＣＵには、空燃比制御装置２５、燃焼供給装置２６および点火装置２７などが電気的に接続されている。ここで、図８に示すように、電子制御ユニットＥＣＵは、空燃比制御装置２５、燃焼供給装置２６および点火装置２７などの作動を制御して、筒内の燃焼を制御する燃焼制御部５１を備えている。
【００５７】
（ノック強度の算出）
ノック強度算出部１５２は、ノックセンサ３（燃焼圧検出器２８）で検出された燃焼圧Ｐと、クランク角度検出器４１で検出されたクランク角度θとに基づき、所定の演算処理を実行することで、ノック強度を算出する。具体的には、図６（ａ）に示すように、燃焼圧波形を所定の解析ウィンドウで周波数分析（高速フーリエ変換）を行い、図６（ｂ）に示すパワースペクトルを算出する。解析ウィンドウの設定範囲Δθとしては、上死点（ＴＤＣ）近傍の任意の範囲に設定可能であり、例えば、上死点近傍の４０度の範囲で設定してもよい。
【００５８】
続いて、上記の式（１）で算出されるノッキング固有周波数を中心とした所定の周波数帯域（「ノック周波数帯域」と称する）にバンドパスフィルタをかけ、このノック周波数帯域の燃焼圧変動幅ΔＰのオーバーオール値（二乗平均値）を算出し、これをノック強度（Ｋｎｏｃｋ  Ｉｎｔｅｎｓｉｔｙ）と定義する。
【００５９】
（ノック強度のサイクル変動値の算出）
ノック強度算出部１５２は、ノック強度のサイクル変動値も算出する。ここで、ノック強度のサイクル変動値とは、複数回のサイクルにおけるノック強度の変動の度合いを示す指標であり、例えば、ノック強度の最高値と最小値との差、標準偏差、ＣＯＶ（共分散）などが該当する。なお、本実施形態において、「サイクル」とは、吸気、圧縮、燃焼・膨張、排気の一連の過程を意味する。
【００６０】
（燃焼圧の算出）
燃焼圧解析部１５３は、ノックセンサ３（燃焼圧検出器２８）で検出された燃焼圧Ｐに基づき、燃焼最高圧Ｐmax、図示平均有効圧Ｐmi、およびそれらのサイクル変動値、を算出する。ここで、最高燃焼圧Ｐmaxとは、燃焼室２の１サイクル中における燃焼圧（筒内圧）の最大値をいう。燃焼最高圧Ｐmaxのサイクル変動値とは、連続する複数サイクル中での燃焼最高圧Ｐmaxの変動の度合いを示す指標であり、具体的には、燃焼最高圧Ｐmaxの最高値と最小値との差、標準偏差、ＣＯＶ（共分散）、などが該当する。図示平均有効圧Ｐmiとは、各シリンダの１サイクル当りの仕事量を行程容積で割った値をいう。図示平均有効圧Ｐmiのサイクル変動値とは、連続する複数サイクル中での図示平均有効圧Ｐmiの変動の度合いを示す指標であり、具体的には、図示平均有効圧Ｐmiの最高値と最小値との差、標準偏差、ＣＯＶ（共分散）、などが該当する。
【００６１】
（異常燃焼の検出）
異常燃焼判定部１５４は、上記の(I)，(II)，（III）の検出方法を単独で又は相互に組み合わせて実行することで、ノッキング、潤滑油に起因する異常燃焼、熱面着火に起因する異常燃焼などを検出する。
【００６２】
(I)ノック強度の発生頻度、連続性に基づく検出方法
異常燃焼判定部１５４は、異常燃焼を検出するための指標として発生頻度および連続性のうち少なくとも一方を利用する。具体的には、異常燃焼判定部１５４は、所定回数のサイクル中において、ノック強度が所定の閾値（「基準閾値」と称する）以上となるサイクル数（発生頻度）を記録して、その発生頻度が第１の閾値以上である場合、すなわち、発生頻度が高い場合には熱面着火に起因する異常燃焼であると判定する。一方、発生頻度が第１の閾値未満且つ第２の閾値以上である場合、すなわち、発生頻度が中程度の場合には、通常のノッキングであると判定する。また、発生頻度が第２の閾値未満である場合、すなわち、発生頻度が低い場合には、潤滑油に起因する異常燃焼であると判定する。なお、第１の閾値は第２の閾値よりも大きな値（第１の閾値＞第２の閾値）とする。これは上述したように、潤滑油に起因する異常燃焼は、通常のノッキングと比較して、その発生頻度が低いという特性、および、熱面着火に起因する異常燃焼は、通常のノッキングと比較して、その発生頻度が高いという特性を利用したものである。なお、基準閾値、第１の閾値および第２の閾値は、エンジン１の作動状態等に応じて任意に可変設定することのできる変数とする。
【００６３】
また、異常燃焼判定部１５４は、基準閾値以上となるノック強度が連続して検出されたとき、その連続回数が第３の閾値以上である場合、すなわち、連続性が高い場合には熱面着火に起因する異常燃焼であると判定する。一方、連続回数が第３の閾値未満且つ第４の閾値以上である場合、すなわち、連続性が中程度の場合には、通常のノッキングであると判定する。また、連続回数が第４の閾値未満である場合、すなわち、連続性が低い場合には、潤滑油に起因する異常燃焼であると判定する。なお、第３の閾値は第４の閾値よりも大きな値（第３の閾値＞第４の閾値）とする。これは上述したように、潤滑油に起因する異常燃焼は、ほとんどの場合に連続して発生しないという特性、および、熱面着火に起因する異常燃焼は、ほぼ連続的に発生するという特性を利用したものである。なお、第３の閾値および第４の閾値は、エンジン１の作動状態等に応じて任意に可変設定することのできる変数とする。
【００６４】
(II)ノック強度のサイクル変動に基づく検出方法
異常燃焼判定部１５４は、異常燃焼を検出するための指標としてノック強度のサイクル変動値を利用する。具体的には、異常燃焼判定部１５４は、ノック強度のサイクル変動値が第５の閾値以上である場合に、潤滑油に起因する異常燃焼が発生したと判定する。これは前述したように、潤滑油に起因する異常燃焼の場合には、燃焼のサイクル間のばらつきが通常のノッキングよりも大きくなるという特性を利用したものである。このとき、この検出方法(II)を単独で使用してもよいが、上記の(I)の検出方法との組合せにより、当該異常燃焼の検出精度を更に向上させることができる。なお、第５の閾値は、エンジン１の作動状態等に応じて任意に可変設定することのできる変数とする。
【００６５】
(III)燃焼圧に基づく検出方法
異常燃焼判定部１５４は、異常燃焼を検出するための指標として、最高燃焼圧Ｐmax、最高燃焼圧Ｐmaxのサイクル変動、図示平均有効圧Ｐmiのサイクル変動値のうちのいずれかを利用する。具体的には、異常燃焼判定部１５４は、燃焼最高圧Ｐmaxがサイクル平均値よりも第６の閾値以上上昇した場合、通常のノッキング以外の他の異常燃焼であると判定する。ここで、サイクル平均値とは、複数回のサイクル（例えば１００回）での燃焼最高圧Ｐmaxの平均値をいう。また、異常燃焼判定部１５４は、最高燃焼圧Ｐmaxのサイクル変動値が予め設定された第７の閾値以上である場合、通常のノッキング以外の他の異常燃焼であると判定する。さらに、異常燃焼判定部１５４は、図示平均有効圧Ｐmiのサイクル変動値が予め設定された第８の閾値以上である場合、通常のノッキング以外の他の異常燃焼であると判定する。このとき、この検出方法(III)を単独で使用してもよいが、上記の(I)，（II）の検出方法との組合せにより、当該異常燃焼の検出精度を更に向上させることができる。なお、第６の閾値、第７の閾値および第８の閾値は、エンジン１の作動状態等に応じて任意に可変設定することのできる変数とする。
【００６６】
（回避制御）
異常燃焼判定部１５４は、いずれかの異常燃焼を検出した場合、当該異常燃焼に係る検出情報を電子制御ユニットＥＣＵの燃焼制御部５１へ送信する。電子制御ユニットＥＣＵの燃焼制御部５１は、異常燃焼判定部１５４からの検出情報に基づき、異常燃焼の種別に応じた回避制御を実行するため、エンジン各部（空燃比制御装置２５、燃料供給装置２６、点火装置２７など）の作動を制御する。
【００６７】
次に、第２実施形態に係る異常燃焼検出装置１５０が実行する異常燃焼検出方法の一例について説明する。ここで、図９は、上記異常燃焼検出方法の一例を示すフローチャートである。
【００６８】
まず、ノック強度算出部１５２は、ノックセンサ３（燃焼圧検出器２８）から入力される検出情報に基づきノック強度を算出する（ステップＳ２０１）。
【００６９】
続いて、異常燃焼判定部１５４は、ノック強度が基準閾値以上であるか否かを判定する（ステップＳ２０２）。
【００７０】
ノック強度が基準閾値以上である場合（ステップＳ２０２：ＹＥＳ）には、異常燃焼判定部１５４は、過去Ｎサイクル中における基準値以上のノック強度の発生頻度、あるいは、ノック強度が基準閾値以上となる連続回数を算出する（ステップＳ２０３）。なお、ノック強度の発生頻度および連続回数の双方を算出するようにしてもよい。
【００７１】
他方、ノック強度算出部１５２は、ノック強度のサイクル変動値も算出する（ステップＳ２０４）。
【００７２】
続いて、燃焼圧解析部１５３は、筒内の最高燃焼圧Ｐmax、最高燃焼圧Ｐmaxのサイクル変動値、図示平均有効圧Ｐmiのサイクル変動値、のうちの少なくとも１つを算出する。
【００７３】
そして、異常燃焼判定部１５４は、上記のステップＳ２０３〜Ｓ２０５で得られた、（I）ノック強度の発生頻度、連続性、（II）ノック強度のサイクル変動値、（III）最高燃焼圧Ｐmax、最高燃焼圧Ｐmaxのサイクル変動値、図示平均有効圧Ｐmiのサイクル変動値、を第１〜第８の閾値と比較して、これらの判定項目を総合的に判断したうえで、通常のノッキング、潤滑油に起因する異常燃焼、熱面着火に起因する異常燃焼、のうちのいずれの異常燃焼が発生したかを判定する。ここで、異常燃焼の判定手法としては種々あるが、例えば、検出項目のいずれか１項目でも上記（I）〜（III）の判定基準を満たす場合に異常燃焼を検出したり、全ての検出項目で上記（I）〜（III）の判定基準を満たす場合に異常燃焼を検出したり、各検出項目ごとに重み付けを変えたりしてもよい。
【００７４】
続いて、電子制御ユニットＥＣＵの燃焼制御部５１は、上記のステップＳ２０６で検出された異常燃焼の種別に応じた回避制御を実行する（ステップＳ２０７）。例えば、ノッキングに対する回避制御として、着火時期を遅角する制御など、熱面着火に起因する異常燃焼に対する回避制御として、エンジン１を即停止させる制御など、潤滑油に起因する異常燃焼に対する回避制御として、エンジン１の出力を低下させる制御など、を実行する。
【００７５】
なお、ノック強度が基準閾値以上ではない場合（ステップＳ２０２：ＮＯ）には、ステップＳ２０３，Ｓ２０４をスキップして、ステップＳ２０５に移行する。これは、ノック強度が基準閾値以上でない場合でも、最高燃焼圧Ｐmax等に基づく異常燃焼検出を実行することで、検出精度の信頼性を向上させるためである。
【００７６】
以上、本実施形態（第１実施形態、第２実施形態）によれば、ノック強度が基準閾値以上となる頻度およびノック強度が複数回の燃焼サイクルに亘って連続的に基準閾値以上となる該連続性の少なくとも一方に基づいて、エンジン１の燃焼室２内に発生する異常燃焼として、通常のノッキング、潤滑油に起因する異常燃焼、熱面着火に起因する異常燃焼など、を正確に判別することができるため、異常燃焼の種別に応じた正しい回避制御を実行して、エンジン１を適正な燃焼状態に早期に復帰させることが可能である。また、一般的にエンジンには加速度検出器等のノックセンサ（物理量検出手段）が搭載されているため、通常のノッキング以外の他の異常燃焼を検出するための指標としてノック強度を利用することで、当該異常燃焼検出装置５０を低コストで実現することができる。
【００７７】
なお、これまで通常のノッキング以外の他の異常燃焼として、潤滑油に起因する異常燃焼、熱面着火に起因する異常燃焼、を例示したが、本実施形態における異常燃焼検出方法では、潤滑油に起因する異常燃焼と通常のノッキングとを判別可能とすることに大きな特徴がある。
【００７８】
また、本実施形態において、ノック強度が複数回の燃焼サイクルにおいて一定以上変動した場合、通常のノッキング以外の他の異常燃焼を検出し得るよう構成することで、頻度および連続性との組合せ条件に基づき、各種の異常燃焼の検出精度をより一層向上させることが可能となる。
【００７９】
さらに、本実施形態において、燃焼室２内の最高燃焼圧Ｐmaxが一定以上上昇したとき又は複数回の燃焼サイクルにおいて最高燃焼圧Ｐmaxが一定以上変動したときに、通常のノッキング以外の他の異常燃焼を検出し得るよう構成することで、燃焼室２内での多点着火等に基づき燃焼圧の急激な増大を誘発するような異常燃焼を確実に検出することが可能となる。
【００８０】
なお、本発明は、上記実施形態に限定されるものではなく、本発明の要旨を逸脱しない範囲であれば適宜改良可能である。例えば、燃焼室の燃焼状態と相関性のある他の物理量として音や燃焼ガス中のイオン状態などを用いてノッキング強度を算出してもよい。
【００８１】
また、異常燃焼検出装置５０（１５０）は、電子制御ユニットＥＣＵ内に一体的に組み込まれていてもよいし、電子制御ユニットＥＣＵとは独立した別の装置として構成してもよい。
【符号の説明】
【００８２】
１  エンジン
２  燃焼室
３  ノックセンサ（物理量検出手段）
１２  加速度検出器（物理量検出手段）
２８  燃焼圧検出器（物理量検出手段）
３０  ピストン
４０  クランク軸
４１  クランク角度検出器
５０  異常燃焼検出装置（第１実施形態）
５２  ノック強度算出部（ノック強度算出手段）
５４  異常燃焼判定部（異常燃焼判定手段）
１５０  異常燃焼検出装置（第２実施形態）
１５２  ノック強度算出部（ノック強度算出手段）
１５３  燃焼圧解析部
１５４  異常燃焼判定部（異常燃焼判定手段）
ＥＣＵ  電子制御ユニット
【図１】
2015033371.tif 000003
【図２】
2015033371.tif 000004
【図３】
2015033371.tif 000005
【図４】
2015033371.tif 000006
【図５】
2015033371.tif 000007
【図６】
2015033371.tif 000008
【図７】
2015033371.tif 000009
【図８】
2015033371.tif 000010
【図９】
2015033371.tif 000011
【国際調査報告】
2015033371.tif 000012
2015033371.tif 000013
2015033371.tif 000014
2015033371.tif 000015